(57)【特許請求の範囲】
【請求項１】
人の口腔（ｙ）内に取り付け、該口腔（ｙ）内で発光する口腔内発光器（１）であって、
口蓋（ｘ）に密着するように、上方へ緩やかに膨出する略山形状になり、かつ該口蓋（ｘ）の凹凸面に沿った形状を有する天板部（２）を、透光性を有する合成樹脂材で形成した発光器本体部（３）と、
前記発光器本体部（３）に実装した光源（４）と、
前記発光器本体部（３）内に設けた、前記光源（４）用の電源部（５）と、を備え、
前記天板部（２）を、口蓋（ｘ）に唾液などの水分を介して密着するように張り付けて固定させ、前記光源（４）を口腔（ｙ）内で発光させるように構成した、ことを特徴とする口腔内発光器。
【請求項２】
前記発光器本体部（３）は、前記合成樹脂材に複数の反射部材を埋め込んだものである、ことを特徴とする請求項１の口腔内発光器。
【請求項３】
前記発光器本体部（３）は、前記合成樹脂材に複数本の光ファイバーを埋め込んだものである、ことを特徴とする請求項１の口腔内発光器。
【請求項４】
前記発光器本体部（３）は、前記合成樹脂材に蛍光体を点在するように埋め込んだものである、ことを特徴とする請求項１の口腔内発光器。
【請求項５】
前記発光器本体部（３）の周縁に、上顎の歯列（ｚ）の内周における歯茎と歯の根元との境界部分に嵌合するように、該歯列（ｚ）の歯間に入るように該周縁の周囲方向に突出する凸部分と、歯の根元に当たる凹部分とからなる波形状を有する波形嵌合縁（９）を形成した、ことを特徴とする請求項１の口腔内発光器。
【請求項６】
前記発光器本体部（３）は、前記口蓋（ｘ）の凹凸面又は／及び上顎の歯列（ｚ）の内周に密着するよう粘土状又はラバー状の軟質樹脂材から成るものである、ことを特徴とする請求項１の口腔内発光器。
【請求項７】
前記発光器本体部（３）は、光源（４）と電源部（５）とを実装した硬質樹脂板（１３）の周囲に、前記口蓋（ｘ）の凹凸面又は／及び上顎の歯列（ｚ）の内周に密着する粘土状又はラバー状の軟質樹脂材（１２）から成るものである、ことを特徴とする請求項１の口腔内発光器。
【請求項８】
前記光源（４）は、色調の異なる複数の光源体を使用し、点灯・点滅の色を変化させるものである、ことを特徴とする請求項１の口腔内発光器。
【請求項９】
前記電源部（５）に二次電池を用い、該二次電池を前記発光器本体部（３）内に水密に収納し、非接触式端子から充電し得るように構成したものである、ことを特徴とする請求項１の口腔内発光器。
【請求項１０】
前記電源部（５）はペーパー電池である、ことを特徴とする請求項９の口腔内発光器。
【請求項１１】
前記電源部（５）と前記光源（４）とを接続する回路は、前記発光器本体部（３）の一部に２個の端子（１０ａ）を露出させ、該２個の端子が口腔（ｙ）内で両者に唾液（ｓ）等の水分が付着すると通電するように構成したスイッチ（１０）を備えたものである、ことを特徴とする請求項１の口腔内発光器。
【請求項１２】
前記発光器本体部（３）に光センサ（１４）を設け、該光センサ（１４）が光を感知したときに前記光源（４）が点灯・点滅するように構成した、ことを特徴とする請求項１、２、３、４、５、６又は７の口腔内発光器。
【請求項１３】
前記発光器本体部（３）に音センサを設け、該音センサが感知した音の高低に応じて前記光源（４）が点灯・点滅するように構成した、ことを特徴とする請求項１、２、３、４、５、６又は７の口腔内発光器。
【請求項１４】
前記発光器本体部（３）に振動センサを設け、該振動センサが振動を感知したときに前記光源（４）が点灯・点滅するように構成した、ことを特徴とする請求項１、２、３、４、５、６又は７の口腔内発光器。
【請求項１５】
前記発光器本体部（３）に温度センサを設け、該温度センサが感知した温度の高低に応じて前記光源（４）が点灯・点滅するように構成した、ことを特徴とする請求項１、２、３、４、５、６又は７の口腔内発光器。
【請求項１６】
前記発光器本体部（３）に臭気センサを設け、該臭気センサが口腔（ｙ）内の特定の臭気を感知したときに前記光源（４）が点灯・点滅するように構成した、ことを特徴とする請求項１、２、３、４、５、６又は７の口腔内発光器。
【請求項１７】
前記発光器本体部（３）にｐＨセンサを設け、該ｐＨセンサが口腔（ｙ）内の特定のｐＨを感知したときに前記光源（４）が点灯・点滅するように構成した、ことを特徴とする請求項１、２、３、４、５、６又は７の口腔内発光器。
【請求項１８】
人の口腔（ｙ）内に唾液などの水分を介して密着するように張り付け、該口腔（ｙ）内で光源（４）を発光させる口腔内発光器（１）の製作方法であって、
先ず、人の口蓋（ｘ）の凹凸面に沿った形状について、印象材を用いて型どりし（Ｓ１）、
この型どりした印象材を基にして、その口蓋（ｘ）の凹凸面に密着するように、上方へ緩やかに膨出する略山形状の天板部（２）を有し、透光性を有する合成樹脂材からなる発光器本体部（３）を作成し（Ｓ２）、
この作成した発光器本体部（３）内に、光源（４）と電源となる電池を収納する電池収納器（７）を取り付ける（Ｓ４、Ｓ５）、ことを特徴とする口腔内発光器の製作方法。
【請求項１９】
前記型どりした印象材を基にして発光器本体部（３）を作成する（Ｓ２）際に、
略山形状の天板部（２）の周縁に、上顎の歯列（ｚ）における歯茎と歯の根元との境界部分に嵌合するように、該歯列（ｚ）の歯間に入るように該周縁の周囲方向に突出する凸部分と、歯の根元が当たる凹部分とからなる凸部分と凹部分とが並んだ波形状を有する波形嵌合縁（９）を更に形成する、ことを特徴とする請求項１８の口腔内発光器の製作方法。
【請求項２０】
前記型どりした印象材を基にして、略山形状の天板部（２）を有する発光器本体部（３）を作成した後、
前記発光器本体部の一部を切削して、前記光源（４）と電池収納器（７）を取り付ける凹部（Ｓ３）を形成する、ことを特徴とする請求項１８の口腔内発光器の製作方法。
【請求項２１】
前記型どりした印象材を基にして、略山形状の天板部（２）を有する発光器本体部（３）を作成する際（Ｓ１４）に、
予め、前記発光器本体部を形成する樹脂材料内に、光源（４）と電池収納器（７）を埋め込むように取り付ける（Ｓ１２，Ｓ１３）、ことを特徴とする請求項１８の口腔内発光器の製作方法。
【発明の詳細な説明】
【技術分野】
【０００１】
本発明は、口腔内に着脱自在に装着し、その口腔内において発光する口腔内発光器及びその製作方法に関する。
【背景技術】
【０００２】
自己を表現し個性をアピールするために、ブローチのような身飾品に発光体を内蔵したものが提案されている。例えば、高価な宝石だけではなく、発光ダイオード（ＬＥＤ）のような小さな発光部品をブローチに埋め込み、これを点滅又は点灯するように構成したものが提案されている。
【０００３】
また最近では、化粧やアクセサリーの延長として、ネイル・アートやタトゥシールが流行っている。更に、ネイル・アートの発展形として歯に装飾する技術が提案されている。例えば特許文献１の特開平１１−１２８２４９号公報「歯用装飾部材、人工歯、および、その製造方法」のように、所定の歯または人工歯の被接着面に着脱自在または固定して装着される歯用装飾部材であって、所望の装飾材料が内包され、所定の歯または人工歯の被接着面に密着するようにして事前に加工された接着面と、所望の装飾材料が透視される装飾面とを有するプラスチック材からなる歯用装飾部材が提案されている。
【特許文献１】特開平１１−１２８２４９号
【発明の開示】
【発明が解決しようとする課題】
【０００４】
口元における歯並びと歯の形状や色は、その人の顔の表情に大きく影響するものであり重要とされている。これは人の口元から醸し出される美しい笑みは、周囲の人に対してさわやかで、清潔で、明るそうなイメージを与えるからである。しかし、この特許文献１の歯用装飾部材は、歯の表面に、七宝、宝石、シール、ガラス、エナメル、プラスチック、ポーセレン、金箔、銀箔、紙、ビニール、絵、写真、植物又は布を個々の歯に密着させるものであるために、その着脱を容易に行なうことができず、また、歯から離脱しやすいとう問題を有していた。
【０００５】
本発明は、かかる問題点を解決するために創案されたものである。すなわち、本発明の目的は、口腔内に発光器を着脱自在に装着することで、口腔内が発光することにより強烈な自己表現を可能にした口腔内発光器及びその製作方法を提供することにある。
【課題を解決するための手段】
【０００６】
上記目的を達成するため本発明の口腔内発光器は、人の口腔（ｙ）内に取り付け、該口腔（ｙ）内で発光する口腔内発光器（１）であって、口蓋（ｘ）に密着するように、上方へ緩やかに膨出する略山形状になり、かつ該口蓋（ｘ）の凹凸面に沿った形状を有する天板部（２）を、光透過性を有する合成樹脂材で形成した発光器本体部（３）と、前記発光器本体部（３）に実装した光源（４）と、前記発光器本体部（３）内に設けた、前記光源（４）用の電源部（５）と、を備え、前記天板部（２）を、口蓋（ｘ）に唾液などの水分を介して密着するように張り付けて固定させ、前記光源（４）を口腔（ｙ）内で発光させるように構成した、ことを特徴とする。
【０００７】
例えば、前記発光器本体部（３）に、前記合成樹脂材に複数の反射部材を埋め込むことができる。
前記発光器本体部（３）に、前記合成樹脂材に複数本の光ファイバーを埋め込むことができる。
前記発光器本体部（３）に、前記合成樹脂材に蛍光体を点在するように埋め込むことができる
【０００８】
口腔内発光器（１）を口腔（ｙ）内に取り付けるための構造としては以下のような構成が考えられる。
前記発光器本体部（３）の周縁に、上顎の歯列（ｚ）の内周における歯茎と歯（ｔ）の根元との境界部分に嵌合するように薄板状の薄板嵌合縁（８）を形成する。
前記発光器本体部（３）の周縁に、上顎の歯列（ｚ）の内周における歯茎と歯の根元との境界部分に嵌合するように、該歯列（ｚ）の歯間に入るように該周縁の周囲方向に突出する凸部分と、歯の根元に当たる凹部分とからなる波形状を有する波形嵌合縁（９）を形成する。
前記発光器本体部（３）を、前記口蓋（ｘ）の凹凸面又は／及び上顎の歯列（ｚ）の内周に密着するよう粘土状又はラバー状の軟質樹脂材から成るものとする。
前記発光器本体部（３）を、光源（４）と電源部（５）とを実装した硬質樹脂板（１３）の周囲に、前記口蓋（ｘ）の凹凸面又は／及び上顎の歯列（ｚ）の内周に密着する粘土状又はラバー状の軟質樹脂材（１２）から成るものとする。
【０００９】
また前記光源（４）は、色調の異なる複数の光源体を使用し、点灯・点滅の色を変化させることが好ましい。
【００１０】
更に前記電源部（５）に二次電池を用い、該二次電池を前記発光器本体部（３）内に水密に収納し、非接触式端子から充電し得るように構成することも好ましい。
なお前記電源部（５）はペーパー電池である。
【００１１】
また前記電源部（５）と前記光源（４）とを接続する回路は、前記発光器本体部（３）の一部に２個の端子（１０ａ）を露出させ、該２個の端子が口腔（ｙ）内で両者に唾液（ｓ）等の水分が付着すると通電するように構成したスイッチ（１０）を備えたものとすることも好ましい。
【００１２】
前記発光器本体部（３）に光センサ（１４）を設け、該光センサ（１４）が光を感知したときに前記光源（４）が点灯・点滅するように構成することができる。
前記発光器本体部（３）に音センサを設け、該音センサが感知した音の高低に応じて前記光源（４）が点灯・点滅するように構成することができる。
前記発光器本体部（３）に振動センサを設け、該振動センサが振動を感知したときに前記光源（４）が点灯・点滅するように構成することができる。
前記発光器本体部（３）に温度センサを設け、該温度センサが感知した温度の高低に応じて前記光源（４）が点灯・点滅するように構成することができる。
前記発光器本体部（３）に臭気センサを設け、該臭気センサが口腔（ｙ）内の特定の臭気を感知したときに前記光源（４）が点灯・点滅するように構成することができる。
前記発光器本体部（３）にｐＨセンサを設け、該ｐＨセンサが口腔（ｙ）内の特定のｐＨを感知したときに前記光源（４）が点灯・点滅するように構成することができる。
【００１３】
また、本発明の口腔内発光器の製作方法は、人の口腔（ｙ）内に唾液などの水分を介して密着するように張り付け、該口腔（ｙ）内で光源（４）を発光させる口腔内発光器（１）の製作方法であって、先ず、人の口蓋（ｘ）の凹凸面に沿った形状について、印象材を用いて型どりし（Ｓ１）、この型どりした印象材を基にして、その口蓋（ｘ）の凹凸面に密着するように、上方へ緩やかに膨出する略山形状の天板部（２）を有し、透光性を有する合成樹脂材からなる発光器本体部（３）を作成し（Ｓ２）、この作成した発光器本体部（３）内に、光源（４）と電源となる電池を収納する電池収納器（７）を取り付ける（Ｓ４、Ｓ５）、ことを特徴とする。
【００１４】
ここで前記型どりした印象材を基にして発光器本体部（３）を作成する（Ｓ２）際に、略山形状の天板部（２）の周縁に、上顎の歯列（ｚ）における歯茎と歯の根元との境界部分に嵌合するように、該歯列（ｚ）の歯間に入るように該周縁の周囲方向に突出する凸部分と、歯の根元が当たる凹部分とからなる凸部分と凹部分とが並んだ波形状を有する波形嵌合縁（９）を更に形成することが好ましい。
【００１５】
また前記型どりした印象材を基にして、略山形状の天板部（２）を有する発光器本体部（３）を作成した後、前記発光器本体部の一部を切削して、前記光源（４）と電池収納器（７）を取り付ける凹部（Ｓ３）を形成することも可能である。
【００１６】
また前記型どりした印象材を基にして、略山形状の天板部（２）を有する発光器本体部（３）を作成する際（Ｓ１４）に、予め、前記発光器本体部を形成する樹脂材料内に、光源（４）と電池収納器（７）を埋め込むように取り付ける（Ｓ１２，Ｓ１３）ことも可能である。
【発明の効果】
【００１７】
本発明によれば、口腔内発光器（１）を構成する天板部（２）を人の口腔（ｙ）における口蓋（ｘ）に沿った略山形状に形成することにより、天板部（２）が、口腔（ｙ）における口蓋（ｘ）に唾液などの水分のみを介して密着するように張り付くので、口腔内発光器（１）を口蓋（ｘ）にしっかりと取り付けることができる。ここで口腔内発光器（１）は口蓋（ｘ）に取り付ける前に、電源部（５）のスイッチを「ＯＮ」にすれば、光源（４）は口腔内で発光するため、発光器の装着者は対面した相手に対し強烈に個性をアピールすることができる。
なお、口蓋（ｘ）と天板部（２）とは隙間なく密着しているため、この光源（４）が口腔（ｙ）内で発光している状態でも、会話や食事をすることが可能である。また市販の入れ歯安定剤などを使用することで、より確実に口腔内発光器（１）の天板部（２）を口蓋（ｘ）に密着させることも勿論可能である。
【００１８】
ここで発光器本体部（３）に透光性を有する部材を使用しているので、光源（４）からの光が広い範囲に拡散するため、口腔（ｙ）内をより鮮明に照らしてやることができる。更に、発光器本体部（３）の合成樹脂材に複数の反射部材、複数本の光ファイバー又は蛍光体を点在するように埋め込むことにより、変化に富んだ発光が可能である。
【００１９】
前記発光器本体部（３）に光センサ（１４）、音センサ等のセンサを設けることにより、この光センサ（１４）等が光等の状況変化を感知したときに光源（４）を点灯・点滅させることができる。更に、臭気センサ又はｐＨセンサ等を設けることにより口腔（ｙ）の変化状態を光源（４）により容易に認識させることができる。
【００２０】
また、前記発光器本体部（３）の周縁に嵌合縁（８，９）を形成したもの、すなわち個々人の歯形に合わせ発光器本体部（３）の周縁に嵌合縁を形成したもの（オーダーメード品）では、上顎の歯列（ｚ）の内周における歯茎と歯の根元との境界部分のくびれに簡単にこれを嵌合させることができるので、容易には外れにくい口腔内発光器（１）が提供される。
一方前記発光器本体部（３）に粘土状又はラバー状の軟質樹脂材を用いたもの（汎用品）では、口蓋（ｘ）の凹凸面形状と、上顎の歯列（ｚ）の内周に容易に密着させることができるので、様々な人の口腔（ｙ）に簡易に装着することができる口腔内発光器が提供される。
【００２１】
また前記光源（４）を、色調の異なる複数の光源体を使用し、点灯・点滅の色を変化させるようにしてやれば、変化に富んだより強い印象を与えることができる。
【００２２】
本発明の口腔内発光器の製造方法では、「義歯」を製作するように、発光器本体部（３）を作成することにより、個々人の異なる口腔（ｙ）、口蓋（ｘ）に合わせることができる。即ち、口腔（ｙ）内での密着性を高め外れにくい口腔内発光器（１）を製作することができる。
【発明を実施するための最良の形態】
【００２３】
本発明は、人の口蓋に密着させる天板部から成る発光器本体部と、この発光器本体部に設けた光源とその電源部とを備え、口腔内で発光する口腔内発光器及びその製作方法に関するものである。
【実施例１】
【００２４】
以下、本発明の好ましい実施の形態を図面を参照して説明する。図１は本発明の実施例１の口腔内発光器を示すものであり、（ａ）は正面図、（ｂ）は拡大正断面図、（ｃ）は平面図、（ｄ）は底面図である。図２は口腔内発光器を口蓋に張り付けた状態の正面図である。図３は口腔内発光器を口蓋に張り付けた状態を下方から見た口腔内発光器の底面図である。
実施例１の口腔内発光器１は、人の口蓋ｘに密着させる天板部２を有する発光器本体部３と、ＬＥＤ等の光源４と、この光源４用の電源部５とを備えたものである。このように構成した口腔内発光器１は、人の口腔内に取り付けることで、口腔ｙ内で光源４が点滅又は点灯発光するものである。
【００２５】
発光器本体部３は、口蓋ｘに密着するように上方へ膨出する扁平の略半球面形状の天板部２を有している。この略山形状の天板部２が、口蓋ｘにおける軟口蓋直前の位置に密着する。この発光器本体部３の形状、特に天板部２の形状は個々人それぞれ異なるので、後述する製作方法により種々の形状と大きさに製作する。発光器本体部３は、口蓋ｘに密着する天板部２を有するものであれば、図１（ａ）、（ｂ）に示すような、なだらかな山形状に限定されない。例えば、天板部２の吸着性が向上するようにディンプル状の略半球状の凹みを多数設けることができる（図示していない）。但し、この口腔内発光器１が口腔ｙ内で邪魔にならない程度にできるだけコンパクトかつ薄型であることが望ましい。
【００２６】
発光器本体部３は、歯科医療で用いる熱可塑性の合成樹脂材、例えばアクリックレジンで製作する。このアクリックレジンは、メタクリル酸エステル重合体とメタクリル酸メチルを混合して硬化させたものである。合成樹脂材は、不透光性のものと透光性のものいずれでも用いることができる。透光性を有する合成樹脂材で製作した発光器本体部３では、光源４と共にこの発光器本体部３自体も発光させることができる。そこで、口腔内発光器１を発光させると、この発光が発光器本体部３内に透過して口腔内をより鮮明に照明することができる。
【００２７】
この発光器本体部３には、合成樹脂材に複数の反射部材（図示していない）を埋め込むことができる。この反射部材には、例えばレンズの働きをする極小のガラスビーズ等を用いる。
【００２８】
また、発光器本体部３は、合成樹脂材に複数本の光ファイバー（図示していない）を埋め込むことができる。この光ファイバーには、非常に高い純度のガラスやプラスチックの細い繊維から成り、光をスムーズに通過させるものを用いる。なお、本発明では、通信の光ファイバーケーブルとして使用するものではないので、見た目がきれいな漏れる光をシールドしない光ファイバーを用いる。
【００２９】
発光器本体部３は、合成樹脂材に蛍光体（図示していない）を点在するように埋め込むことができる。この蛍光体とは、紫外線、電子線等を照射することにより、蛍光を発する化学物質のことである。光る量は照射エネルギーの量に比例する。また、照射するエネルギーが除かれた後も蛍光がゆっくりと持続するものである。
【００３０】
図示例の光源４にはＬＥＤチップを用いている。この光源４は、色調の異なる複数の光源体を使用し、点灯・点滅色を変化させるものである。また、小形かつ耐久性を有するものであれば、このＬＥＤチップ以外に、ＥＬ、半導体レーザー素子、豆ランプ等を用いることができる。また、図示例では４個のＬＥＤチップを配置しているが、この数に限定されない。また、光源４は、色調の異なる複数のＬＥＤチップ等の光源体を使用することができる。光源４は点灯又は点滅させる。更に、光源４を点滅させるときは、複数のＬＥＤチップ等の光源４が同時に点滅する方式、複数の光源４がアットランダムに点滅する方式の他に、複数の光源４が順次回転するように点滅する方式等がある。それぞれの点滅方式に沿った回路を電源部５に設ける。
【００３１】
電源部５は、いわゆるボタン電池６をスイッチ機能を有する電池収納器７に収納したものである。なお、電源はこのボタン電池６に限定されないことは勿論である。この電池は、小形でかつ薄いものが好ましいので、例えばペーパー電池を用いることができる。電源にペーパー電池を利用することで、口腔内発光器１の全体をコンパクトかつ軽量にすることができる。
【００３２】
また、電源部５に二次電池を用いることにより、口腔内発光器１を水密構造にすることも可能である。例えば、二次電池を発光器本体部３内に水密状に密閉収納した構造にする。水密構造の口腔内発光器１では、二次電池の充電を容易に実施し得るように、非接触式端子（図示していない）を発光器本体部３に設けることが好ましい。この場合光源への電力供給のＯＮ／ＯＦＦは指先や舌先などにより、外部から圧力をかけて発光器本体内に収容したスイッチ部を押圧することにより行なわれる。
【００３３】
図４は口腔内発光器を口蓋に張り付けた状態を示す顔の側断面図であり、（ａ）は張り付ける前の口腔内の状態、（ｂ）は張り付けた後の口腔内の状態である。
このように構成した口腔内発光器１は、人の口腔ｙにおける口蓋ｘに取り付けて使用する。このとき、口腔内発光器１は、その略山形状の天板部２が口蓋ｘに密着するように張り付くので、口蓋ｘに強固に固定させることができる。光源４を口腔内で発光させるときは、例えば、口腔内発光器１は口蓋ｘに取り付ける際に、電源部５のスイッチを「ＯＮ」にする。消灯するときは、この口腔内発光器１を口から取り出し、電源部５のスイッチを「ＯＦＦ」にする。
【実施例２】
【００３４】
図５は実施例２の周縁に嵌合縁を形成した口腔内発光器を口蓋に張り付ける状態の口腔の正断面図である。図６は実施例２の口腔内発光器を口蓋に張り付けた状態を下方から見た口腔内発光器の底面図である。
【００３５】
実施例２の発光器本体部３は、その周縁に上顎の歯列ｚ、特に歯茎と歯の根元部分に嵌合するように薄板状の薄板嵌合縁８を形成したものである。このように薄板嵌合縁８を形成したものでは、上顎の歯列ｚの内周に簡単に嵌合させることができ、口腔内発光器１の天板部２と口蓋ｘとの密着力と相俟って、口腔内発光器１が外れにくくなる。この薄板嵌合縁８の形状は、本発明の口腔内発光器１を装着する人の歯列Ｚの大きさに応じて種々の形状になる。逆に、口腔内発光器１の天板部２と口蓋ｘとの密着力が弱いときでも、この薄板嵌合縁８と歯列ｚとの嵌合力により、口腔内発光器１が外れにくくなる。
【実施例３】
【００３６】
図７は実施例３の周縁に波形状の嵌合縁を形成した口腔内発光器を口蓋に張り付け、それを下方から見た状態の口腔内発光器の底面図である。
実施例３の発光器本体部３の周縁に、上顎の歯列ｚの内周における歯茎と歯の根元との境界部分に嵌合するように、この発光器本体部３を平面視したときに波形状になる波形嵌合縁９を形成したものである。波形嵌合縁９を上顎の歯列ｚの内周に嵌合させることで、口腔内発光器１の天板部２と口蓋ｘとの密着力と相俟って口腔内発光器１を更に外れにくくすることができると共に、口蓋ｘ内で口腔内発光器１が位置ズレすることを防止することができる。この波形嵌合縁９の形状は、本発明の口腔内発光器１を装着する人の歯列Ｚに応じて種々の形状になる。
【００３７】
図８は口腔内発光器のスイッチ構造を示す拡大断面図であり、（ａ）は水分が付着する前の状態、（ｂ）は水分が付着してスイッチがＯＮした状態である。
このスイッチ１０は、発光器本体部３の一部に２個の端子１０ａを露出させ、この２個の端子１０ａが口腔ｙ内で両者に唾液ｓ等の水分が付着すると通電して、このスイッチ１０は「ＯＮ」になり、次にこの２個の端子１０ａに通電している唾液ｓ等を拭き取ると「ＯＦＦ」になる機構のものである。かかる機構によれば、スイッチ１０が乾いた状謡で口腔内発光器１を口腔ｘ内に取り付けた後に、スイッチ１０を唾液により湿らすことで通電させ自由に光源４を発光させることができる。
【００３８】
図９は口腔内発光器のスイッチ構造の他の実施例を示す拡大断面図である。
発光器本体部３を軟質樹脂材で製作する場合、光源４、電源部５およびスイッチ１１を発光器本体部３に内包して水密状に構成することが望ましい。そこで、図９に示すように、発光器本体部３を変形しやすい樹脂材で、又は薄膜状に形成した部分にスイッチ１１を内蔵する。このスイッチ１１は、１回プッシュすると「ＯＮ」になり、次にプッシュすると「ＯＦＦ」になる機構のものである。このようなスイッチ１１を内蔵することにより、安全かつ簡単に光源４を点灯又は点滅させることができる。
【実施例４】
【００３９】
図１０は実施例４の軟質樹脂材で製作した口腔内発光器を示す拡大正断面図である。
実施例４の発光器本体部３は、口蓋ｘの凹凸面に唾液などを介して密着するラバー状の軟質樹脂材、例えばシリコン樹脂又はＥＶＡ樹脂或いはポリアミド樹脂で製作される。このような常温で変形しやすい軟質樹脂材を用いた口腔内発光器１では、口蓋ｘの凹凸面と、本発明の口腔内発光器１、特に天板部２との寸法に多少の相違があっても、この軟質樹脂材がその相違を容易に吸収することで、口腔内発光器１は口腔ｙ内での収まりがよく、様々な大きさと形状の人に特別な加工を要することなく装着することができる。
【実施例５】
【００４０】
図１１は実施例５の軟質樹脂材を部分的に利用した口腔内発光器を示す底面図である。
実施例５の発光器本体部３はその周囲の部分に、実施例４より更に柔軟な粘土状の樹脂材（柔軟樹脂材１２）を利用した口腔内発光器１である。このように柔軟樹脂材１２であれば、発光器を口蓋ｘに張り付けた後にその周囲の樹脂材を指の腹で口蓋ｘに押し付けて密着・粘着させることができるので、大きな口でも、小さな口でも、この口腔内発光器１を口腔内に容易に固定することができる。なお、このとき発光器本体部３の全体が柔軟過ぎると、口腔内発光器１が口腔ｙ内で収まりが悪いため、図１１に示したように光源４と電源部５は骨格となるように硬質の樹脂板（硬質樹脂板１３）に実装し、その周囲に柔軟な樹脂材を形成することが好ましい。
【実施例６】
【００４１】
図１２は実施例６のセンサを内蔵した口腔内発光器を示す拡大正断面図である。
口腔内発光器１を構成する発光器本体部３に光センサ１４を設けることができる。この光センサ１４は、口腔ｙ内で光を感知し、その光の強弱に応じて光源４が点灯し、又は点滅するようになっている。この光センサ１４は、例えば光の強弱を電気信号にするセンサであり、ＣＤＳセルのように光の量により抵抗値が変わるものである。この光センサ１４は、発光器本体部３の内部に埋め込めるように小形の半導体を用いたものが好ましい。
【００４２】
発光器本体部３に音センサを設けることができる。この音センサは、音の高低を感知したときに、その音の高低に応じて光源４が点灯・点滅するようになっている。この音センサとして、例えば小形のコンデンサーマイク又は超音波センサ等を用いる。
【００４３】
発光器本体部３に振動センサを設けることができる。この振動センサは振動を感知し、所定の大きな振動、例えば顔を大きく揺らしたとき、又は大きく頷いたときに光源４が点灯・点滅するようになっている。
【００４４】
発光器本体部３に温度センサを設けることができる。この温度センサは、口腔ｙ内で感知した温度の高低に応じて光源４が点灯・点滅するようになっている。ここで用いる温度センサとしては接触型のＣＭＯＳセンサ又はチップ型サーミスタを用いる。例えば、熱いお茶を口に入れたときは赤や暖色系の光源４が点灯・点滅し、逆に冷水や冷えたビールを口に入れたときは青や冷色系の光源４が点灯・点滅する。これによりその人が飲料しているものの温度を推測することができる。
【００４５】
発光器本体部３に臭気センサを設けることができる。この臭気センサは、口腔ｙ内の特定の臭気を感知したときに光源４が点灯・点滅するようになっている。この臭気センサは、例えば、主に硫黄化合物系ガスを検知するセンサを用いる。メチルメルカプタン、エタノール、アンモニア等を高い感度で感知できるセンサを用いる。
【００４６】
発光器本体部３にｐＨセンサを設けることができる。このｐＨセンサは、口腔ｙ内の特定のｐＨを感知したときに光源４が点灯・点滅するようになっている。このｐＨセンサにより食事に際してその食物の状態を光源４の点灯状況で認識することができる。
【００４７】
本発明の口腔内発光器１を構成する発光器本体部３には、上述したセンサの他に、特定の化学薬品を感知する化学センサ等の種々のセンサを内蔵することができる。但し、口腔ｙ内という狭い空間であるために、小形で低電力の半導体系の部品が望ましい。
【実施例７】
【００４８】
図１３は実施例７の口腔内発光器の製作方法を示すフロー図であり、（ａ）は部品を後付けする方法、（ｂ）は部品を先付けする方法である。
次に、本発明の口腔内発光器の製作する方法を説明する。図１３（ａ）は部品を後付する方法を示すものである。先ず、人の口蓋ｘについて、印象材を用いて型どりする（Ｓ１）。この型どりした印象材を基にして、略山形状の天板部２を有する発光器本体部３を作成する（Ｓ２）。この発光器本体部３の一部を切削して、光源４と電池収納器７を取り付ける凹部を設ける（Ｓ３）。或いは、この凹部が形成されるように型を用いて発光器本体部３を作成する（Ｓ２）。この作成した発光器本体部３内に、光源４と電源となる電池を収納する電池収納器７を取り付ける（Ｓ４，Ｓ５）。
なお、型どりした印象材を基にして発光器本体部３を作成する（Ｓ２）際に、略山形状の天板部２の周縁に、上顎の歯列の内周に嵌合するように波形状の嵌合縁８を形成する。
【００４９】
本発明の製作方法では、「義歯」を製作するように、発光器本体部３を作成することにより、個々人の異なる口腔ｘ、口蓋ｙに合わせることができる。即ち、口腔ｙ内での密着性を高め、外れにくい口腔内発光器１を製作することができる。
【００５０】
また、図１３（ｂ）に示すように、前述した型どりした印象材を基にして、略山形状の天板部２を有する発光器本体部３を作成する際に、予め発光器本体部３となる樹脂材料内に、光源４と電池収納器７を埋め込むように取り付ける。
この部品を先付けする方法では、印象材を用いて、人の口蓋ｘについて型どりする（Ｓ１１）。
一方、発光器本体部３となる樹脂材料内に、光源４と電池収納器７を埋め込むように取り付ける（Ｓ１２，Ｓ１３）。これを用いて、型どりした印象材を基にして、発光器本体部３を作成する（Ｓ１４）。必要に応じて発光器本体部３の周囲を研磨調整して完成品とする（Ｓ１５）。
【００５１】
なお、本発明は上述した発明の実施の形態に限定されず、口腔内に着脱自在に口腔内発光器１を装着することで、口腔内で発光することにより強烈な自己表現を可能にし、また口腔内を照明することにより歯科治療にも供することができるものであれば、図示したような構成に限定されず、本発明の要旨を逸脱しない範囲で種々変更できることは勿論である。
【産業上の利用可能性】
【００５２】
本発明の口腔内発光器及びその製作方法は、口腔内で光源を発光させることができるので、発音練習、発声練習の際に口が適正に開いているかどうかの訓練の際、又は歯科治療の際に口腔内の照明装置として利用する等の様々な用途に利用することができる。
【図面の簡単な説明】
【００５３】
【図１】本発明の実施例１の口腔内発光器を示すものであり、（ａ）は正面図、（ｂ）は拡大正断面図、（ｃ）は平面図、（ｄ）は底面図である。
【図２】口腔内発光器を口蓋に張り付けた状態の正面図である。
【図３】口腔内発光器を口蓋に張り付けた状態を下方から見た口腔内発光器の底面図である。
【図４】口腔内発光器を口蓋に張り付けた状態を示す顔の側断面図であり、（ａ）は張り付ける前の口腔内の状態、（ｂ）は張り付けた後の口腔内の状態である。
【図５】実施例２の周縁に嵌合縁を形成した口腔内発光器を口蓋に張り付ける状態の口腔の正断面図である。
【図６】実施例２の口腔内発光器を口蓋に張り付けた状態を下方から見た口腔内発光器の底面図である。
【図７】実施例３の周縁に波形状の嵌合縁を形成した口腔内発光器を口蓋に張り付け、それを下方から見た状態の口腔内発光器の底面図である。
【図８】口腔内発光器のスイッチ構造を示す拡大断面図であり、（ａ）は水分が付着する前の状態、（ｂ）は水分が付着してスイッチがＯＮした状態である。
【図９】口腔内発光器のスイッチ構造の他の実施例を示す拡大断面図である。
【図１０】実施例４の軟質樹脂材で作成した口腔内発光器を示す拡大正断面図である。
【図１１】実施例５の軟質樹脂材を部分的に利用した口腔内発光器を示す底面図である。
【図１２】実施例６のセンサを内蔵した口腔内発光器を示す拡大正断面図である。
【図１３】実施例７の口腔内発光器の製作方法を示すフロー図であり、（ａ）は部品を後付けする方法、（ｂ）は部品を先付けする方法である。
【符号の説明】
【００５４】
１ 口腔内発光器
２ 天板部
３ 発光器本体部
４ 光源（ＬＥＤチップ）
５ 電源部
６ ボタン電池
７ 電池収納器
８ 薄板嵌合縁
９ 波形嵌合縁
１０ スイッチ
１０ａ スイッチ用端子
１２ 軟質樹脂材
１３ 硬質樹脂板
１４ 光センサ
ｘ 口蓋
ｙ 口腔
ｚ 歯列
Ｓ１ 型どり
Ｓ２ 発光器本体部の成形
Ｓ３ 凹部の成形
Ｓ４ ＬＥＤの装着
Ｓ５ 電池収納器の取付
Ｓ１１ 型どり
Ｓ１２ 樹脂材内ＬＥＤ取付
Ｓ１３ 樹脂材内電池収納器の取付
Ｓ１４ 発光器本体部の成形
Ｓ１５ 周縁の研磨調整
【図１】
0004688081.tif 000002
【図２】
0004688081.tif 000003
【図３】
0004688081.tif 000004
【図４】
0004688081.tif 000005
【図５】
0004688081.tif 000006
【図６】
0004688081.tif 000007
【図８】
0004688081.tif 000008
【図９】
0004688081.tif 000009
【図１０】
0004688081.tif 000010
【図１１】
0004688081.tif 000011
【図１２】
0004688081.tif 000012
【図１３】
0004688081.tif 000013
【図７】
0004688081.tif 000014